(57)【要約】【課題】静止画像の切替えを観察者に効果的に認識させることの可能な反射型情報表示装置【解決手段】表示面における外光の反射を電気的に制御して、複数の静止画像を順次表示する反射型画像表示手段、前記画像表示手段により表示される静止画像を切り替える手段、及び前記静止画像の切り替えの際に、静止画像を点滅させる切り替え予告手段を具備することを特徴とする。【選択図】      図５
2005208104.tif 000002
【特許請求の範囲】
【請求項１】
表示面における外光の反射を電気的に制御して、複数の静止画像を順次表示する反射型画像表示手段、前記画像表示手段により表示される静止画像を切り替える手段、及び前記静止画像の切り替えの際に、静止画像を点滅させる切り替え予告手段を具備する反射型情報表示装置。
【請求項２】
前記点滅する静止画像は、切り替え後に表示予定の静止画像である請求項１に記載の反射型情報表示装置。
【請求項３】
前記点滅する静止画像は、切り替え前に表示されている静止画像である請求項１に記載の反射型情報表示装置。
【請求項４】
前記点滅する静止画像は、ポジネガ反転画像である請求項１〜３のいずれかに記載の反射型情報表示装置。
【請求項５】
前記点滅する静止画像は、白黒点滅画像である請求項１に記載の反射型情報表示装置。
【請求項６】
表示面における外光の反射を電気的に制御して、複数の静止画像を順次表示する反射型画像表示手段、前記画像表示手段により表示される静止画像を切り替える手段、及び前記静止画像の切り替えの際に、音を発する切り替え予告手段を具備する反射型情報表示装置。
【発明の詳細な説明】
【技術分野】
【０００１】
本発明は、反射型情報表示装置に係り、特に、静止画像を順次切り替える際に、その切り替えを予告することを可能とする反射型情報表示装置に関する。
【背景技術】
【０００２】
フラットパネル表示装置として、現在、液晶ディスプレイ（ＬＣＤ）が、厚さが薄く、小型化が可能であることから、様々な用途において広範に使用されている。しかし、透過型ＬＣＤのような発光タイプのディスプレイは、目が疲労し易く、かつ視野角により光学特性が大きく変動するという問題がある。
【０００３】
このようなＬＣＤよりも更に薄型化、低消費電力化を目指す他の表示方式として、電気泳動現象を利用した表示装置が開発されている。
【０００４】
電気泳動現象を利用した表示装置の一つとして、マイクロカプセル型電気泳動方式が実用化されており、この方式の表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは径が数十μｍ〜数百μｍと小さいので、このマイクロカプセルを透明なバインダ中に分散させたものは、インクのようにコーティングすることができる。このインクは、外部から電圧を印加することで画像を描くことができるので、電子インクと呼ばれる。
【０００５】
透明電極を形成した透明樹脂膜にこの電子インクをコーティングし、アクティブマトリクス駆動用の電極回路を形成した基板に貼り合わせると、例えば、特許文献１に示すような、アクティブマトリクスディスプレイパネルを得ることができる。
【０００６】
以上のようなマイクロカプセル型電気泳動式表示装置は、電圧の印加を停止しても表示状態を維持することが出来ることから、低消費電力であるとともに、静止画像の表示に適しており、そのため、様々な用途への使用が検討されている。例えば、病院や駅等の施設の待合室での情報の伝達用、街頭における広告宣伝用等のディスプレイにおいて、主として静止画像の表示用に用いることが考えられる。
【０００７】
このような静止画像の表示においては、所定時間ごとに画像を切り替える必要がある。しかし、反射型の情報表示装置では、ＬＥＤのような発光型の表示装置とは異なり、単に画像を切り替えるのでは人目を引くことが出来ないという問題がある。ＬＥＤのような発光型の表示装置では、瞬間輝度が高いため、スクロール表示をしても残像により認識可能であるが、原理的に瞬間輝度を高くすることが出来ない反射型の情報表示装置では、このような効果を期待することが出来ない。そのため、一般の観察者は、画像を切り替えた場合にいつ切り替わったかを認識することが出来ず、貴重な情報を効果的に伝達するすることが出来ないという問題がある。
【特許文献１】特開２０００−２２１５４６号公報
【発明の開示】
【発明が解決しようとする課題】
【０００８】
本発明は、以上のような事情の下になされ、静止画像の切替えを観察者に効果的に認識させることの可能な反射型情報表示装置を提供することを目的とする。
【課題を解決するための手段】
【０００９】
上記課題を解決するため、本発明は、表示面における外光の反射を電気的に制御して、複数の静止画像を順次表示する反射型画像表示手段、前記画像表示手段により表示される静止画像を切り替える手段、及び前記静止画像の切り替えの際に、静止画像を点滅させる切り替え予告手段を具備する反射型情報表示装置を提供する。
【００１０】
以上のように構成される反射型情報表示装置において、点滅する静止画像は、切り替え後に表示予定の静止画像とすることが出来る。或いは、切り替え前に表示されている静止画像であってもよい。  
これらの場合、点滅する静止画像は、ポジネガ反転画像とすることが出来る。  
なお、点滅する静止画像は、切り替え前後の画像に限らず、全面白黒点滅画像であってもよい。
【００１１】
また、本発明は、表示面における外光の反射を電気的に制御して、複数の静止画像を表示する反射型画像表示手段、前記画像表示手段により表示される静止画像を切り替える手段、及び前記静止画像の切り替えの際に、音を発する切り替え予告手段を具備する反射型情報表示装置を提供する。
【発明の効果】
【００１２】
本発明によると、複数の静止画像の切替えを画像の点滅又は音声により予告することにより、静止画像の切替えを観察者に効果的に認識させることが可能な反射型情報表示装置を提供することが出来る。
【発明を実施するための最良の形態】
【００１３】
以下、本発明を実施するための最良の形態について、図面を参照して具体的に説明する。
【００１４】
本発明の一形態に係る反射型情報表示装置は、静止画像の切り替えの際に、静止画像を点滅させる切り替え予告手段を具備することを特徴とする。  
この場合の点滅静止画像としては、切り替え後に表示予定の静止画像、切り替え直前の静止画像のいずれを用いることも出来る。しかし、切り替えの予告となるためには、切り替え後に表示予定の静止画像を前もって知られる意味から、切り替え後の静止画像であることが好ましい。特に、表示装置としてマイクロカプセル型電気泳動式表示パネルを用いる場合には、点滅表示によりその後の静止画像が安定することから、切り替え後の静止画像であることが好ましい。
【００１５】
或いは、これら静止画像とは異なる第３の静止画像を用いてもよい。この第３の静止画像としては、例えば白黒点滅画像とすることが出来る。また、単なるブランキング画像であってもよい。
【００１６】
静止画像の点滅は、表示画面全面にわたるものでもよいが、表示画面の一部、例えば右半分、左半分、上半分、下半分のみとしてもよい。或いは表示画面の４分の１のみを点滅させてもよい。
【００１７】
点滅は、切り替え前又は後の静止画像のそのままの点滅であってもよいが、より注意を引くためには、ポジネガ反転画像の点滅とすることが出来る。  
本発明の他の形態に係る反射型情報表示装置は、静止画像の切り替えの際に、音を発する切り替え予告手段を具備することを特徴とする。音としては、例えば、読み上げ音声やページをめくる音のような擬音がある。
【００１８】
図１は、本発明の一形態に係る反射型情報表示装置に好ましく適用されるマイクロカプセル型電気泳動式表示パネルを示す断面図である。マイクロカプセル型電気泳動式表示パネルは、その動作原理上、点滅表示することにより安定した静止画像を得ることが出来るので、本発明に特に好適に用いることが出来る。
【００１９】
図１に示すように、マイクロカプセル型電気泳動式表示パネルは、基材１上に、電極層２、第１の粘着層３、マイクロカプセル表示層４、透明電極層５、透明樹脂層６、第２の粘着層７、及び表面層８が順次積層されて、マイクロカプセル型電気泳動式表示パネルが構成されている。
【００２０】
マイクロカプセル表示層４は、表面に透明電極層（ＩＴＯ膜）５が形成されているポリエチレンテレフタレート等からなる透明樹脂層６の透明電極（ＩＴＯ）層５の面に、スクリーン印刷により電子インクを印刷することにより形成される。次いで、透明電極層（ＩＴＯ膜）５及びマイクロカプセル表示層４を有する透明樹脂層６は、第１の粘着層３を介して、表面に電極層２を有する基材１に貼りつけられる。なお、透明電極層５は、全面を同一の電位とする共通電極とすることが出来る。
【００２１】
第１の粘着層３としては、公知の感圧接着剤や感熱接着剤を用いることが出来る。これらは、粘着面に剥離紙を有する片面粘着シート又は両面粘着シートの形で用いることが出来る。即ち、第１の粘着層３は、片面粘着シートの非粘着面を接着剤によりマイクロカプセル表示層３に貼るか、又は両面粘着シートの一方の剥離シートを剥がしてマイクロカプセル表示層４に貼ることにより形成することが出来る。
【００２２】
貼りつけは、例えば剥離紙を剥がして、第１の粘着層３の粘着面を基板１に貼り合せ、押圧又は加熱することにより行うことが出来る。基板１は、表面に電極層（図示せず）を備えるガラス基板又は樹脂フィルムであり、表面の電極層２が画素電極として画素毎に独立してパターニングされ、図示しない薄膜トランジスタ、信号電極、および走査電極が併設されたものを用いることが出来る。
【００２３】
次に、以上のようにして得た積層体の透明樹脂層６上に、第２の粘着層７を介して、表面層８を被着する。第２の粘着層７は、自己保持性が高い、シリコンゴム等の高弾性を有するものであるのが好ましい。高弾性を有する第２の粘着層７は、単なる接着作用だけではなく、衝撃を和らげるクッションとしての役割をも果たすことが出来る。
【００２４】
表面層８は、防眩ハードコート層、紫外線吸収層、及びガスバリア層からなる群から選ばれた少なくとも１種の機能層を含むものとすることが出来る。これらの機能層は、公知の材料を用い、公知の方法で成膜することが出来る。
【００２５】
以上説明したマイクロカプセル型電気泳動式表示パネルにおいて、マイクロカプセル表示層３に含まれるマイクロカプセルは、例えば図２に示すように、メタクリル酸樹脂、ユリア樹脂、アラビアゴム等をカプセル殻１１１とし、その内部に酸化チタンからなる白の粒子１１３とカーボンブラックからなる黒の粒子１１４が、シリコーンオイル等の粘性の高い分散媒１１２に分散された状態で封入されたものである。白の粒子１１３である酸化チタンは正電荷を帯びており、一方、黒の粒子１１４であるカーボンブラックは負電荷を帯びている。
【００２６】
このようなマイクロカプセル１１０を含むマイクロカプセル型電気泳動方式を用いた表示体は、次のようにして動作する。
【００２７】
即ち、図３の模式図に示すように、透明樹脂層６の側の透明電極層５と基材層１側の電極層２に電界を印加し、透明電極層５を負極、電極層２を正極とした場合、正に帯電した白の粒子１１３が透明電極層５側に引かれ、負に帯電した黒の粒子１１４は電極層２側に引かれるので、透明電極層５側の上方から観察するとその部分が白く見える。
【００２８】
逆に、透明電極層５が正極で、電極層２が負極になった場合には、正に帯電した白の粒子１１３が電極層２側に引かれ、黒の粒子１１４は透明電極層５側に引かれるので、透明電極層５側の上方から観察するとその部分が黒く見えることになる。
【００２９】
マイクロカプセル表示層４は、マイクロカプセル１１０を多数含んでおり、透明電極層５を同一電位の共通電極とし、電極層２の各アドレス電極の電界を制御することで、上述の原理に基づきマイクロカプセル内の粒子を移動させることで、所望の文字や図形を白と黒の画素として表示させることができる。
【００３０】
同様に、電極層２を共通電極とし（電位をゼロとする）、透明電極５側の各アドレス電極の電界を制御する（正または負の電位を与える）ことで、電極位置のマイクロカプセル内の粒子を移動させて、所望の画像を表示させるようにしてもよい。
【００３１】
次に、本発明の具体的形態に係る反射型情報表示装置について説明する。  
図４は、本発明の具体的形態に係る反射型情報表示装置を示すブロック図である。図４において、ビデオデータベース１０に格納された画像情報は、ビデオコントラーラー２０内に内蔵されたコンピュータプログラムに従って、取込まれ、反射型ディスプレイ３０に送り出され、反射型ディスプレイ３０において表示される。
【００３２】
図５に、そのようなプログラムのフローチャートを示す。以下、図５のフローチャートに従って、画像表示の切替え動作について説明する。  
まず、Ｓ１において、画像Ａがビデオデータベース１０からビデオコントラーラー２０内に取込まれ、反射型ディスプレイ３０に送り出される。次いで、Ｓ２において、点滅画像に切替えるかどうかが判断され、画像Ａの表示時間に達していない場合は、画像Ａの送り出しが続行され、画像Ａの表示時間に達すると、点滅画像に切替えられる。
【００３３】
点滅画像に切替えられると、Ｓ３において、切替え画像がビデオデータベース１０からビデオコントラーラー２０内に取込まれ、反射型ディスプレイ３０に送り出される。
【００３４】
次に、Ｓ４において、画像Ｂに切替えるかどうかが判断され、点滅画像の表示時間に達していない場合は、点滅画像の送り出しが続行され、点滅画像の表示時間に達すると、画像Ｂに切替えられる。
【００３５】
画像Ｂに切替えられると、Ｓ５において、画像Ｂがビデオデータベース１０からビデオコントラーラー２０内に取込まれ、反射型ディスプレイ３０に送り出される。
【００３６】
なお、以上は、画像Ａから画像Ｂへの切り替えについての動作であるが、同様の手順で、更に画像Ｂ、画像Ｃ・・・へと画像は切り替えられる。
【００３７】
図６は、以上説明した画像切替えのプログラムのシーケンス図である。図６に示すように、画像Ａが所定時間表示された後、点滅画像（この例の場合、画像Ｂの点滅画像）に切り替えられ、更に画像Ｂに切替えられる。同様にして、画像Ｃ、画像Ｄ、・・・が切替え表示されるが、それらの切替えの間には、後に表示される画像の点滅画像が挿入される。
【００３８】
このようにして、所定の静止画像が一定時間表示された後に、次に表示される画像の点滅画像が表示されることにより、画像の切替えが予告され、見る者に画像の切替えを明瞭に認識させることが出来る。
【００３９】
以上、切り替え予告手段として静止画像を点滅させる具体例について説明したが、本発明はこれに限らず、音を発する切り替え予告手段を用いてもよい。
【産業上の利用可能性】
【００４０】
本発明の反射型情報表示装置は、静止画像の切替えを観察者に効果的に認識させることができるため、病院や駅等の施設の待合室での情報の伝達用、街頭における広告宣伝用等の、様々な用途におけるディスプレイとして広範に利用可能である。
【図面の簡単な説明】
【００４１】
【図１】本発明の一形態に係る反射型情報表示装置に用いられるマイクロカプセル型電気泳動式表示パネルを示す断面図。
【図２】図１に示すマイクロカプセル型電気泳動式表示パネルのマイクロカプセル表示層に含まれるマイクロカプセルを模式的に示す図。
【図３】図１に示すマイクロカプセル型電気泳動式表示パネルのマイクロカプセル表示層の表示形態の一例を模式的に表す斜視図。
【図４】本発明の一形態に係る反射型情報表示装置を示すブロック図。
【図５】図４に示す反射型情報表示装置に用いられるプログラムのフローチャート。
【図６】画像切替えのプログラムのシーケンス図。
【００４２】
１・・・基材層、２，２２・・・電極層、３，２３・・・第１の粘着層、４，２４・・・マイクロカプセル表示層、５，２５・・・透明電極層、６，２６・・・透明樹脂層、７・・・第２の粘着層、８・・・表面層、１０・・・ビデオデータベース、２０・・・ビデオコントラーラー、３０・・・反射型ディスプレイ、１１０・・・マイクロカプセル、１１１・・・カプセル殻、１１２・・・分散媒、１１３・・・白の粒子、１１４・・・黒の粒子。
【図１】
2005208104.tif 000003
【図２】
2005208104.tif 000004
【図３】
2005208104.tif 000005
【図４】
2005208104.tif 000006
【図５】
2005208104.tif 000007
【図６】
2005208104.tif 000008